【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
複数の患者に対する患者の評価及び患者のバイタルサインを明らかにし且つ追跡するように構成されたワークフローユニットであり、前記複数の患者のそれぞれは、各患者に対するスケジュールに従って少なくとも１人の介護者に割り当てられる、ワークフローユニットと、
各割り当てられた介護者の位置、及び、前記複数の患者のそれぞれの位置を受信するように構成された位置決定ユニットと、
一貫したフォーマットの前記複数の患者のそれぞれに対するグループ化された介護者中心で重症度適応の、心拍数及びＳｐＯ２を含む臨床データ、並びに、各割り当てられた介護者に対する前記複数の患者のそれぞれの氏名及び位置、介護者の氏名及び前記介護者の位置を表示するように構成された表示装置であり、
最後の患者の評価における結果の指標、最後に測定された患者のバイタルサインに対する値、前記最後の評価及びバイタルサイン測定に対する完了の時間、並びに、次の患者の評価及びバイタルサイン測定に対する予定された時間、
期限を過ぎた患者の評価の指標及びバイタルサイン、又は、
評価若しくはバイタルサイン測定の開始時間、前記評価における結果の指標、若しくは、前記バイタルサインのうち少なくとも１つの測定された値、各未決着の評価に対する指標若しくは測定されるバイタルサイン、並びに、前記評価及びバイタルサイン測定を完了するための期間における残存時間、
のうち少なくとも１つを表示するようにさらに構成された表示装置と、
を含むワークフローシステム。
【請求項２】
前記ワークフローユニットは、少なくとも１人の患者に対する血糖測定を明らかにし且つ追跡するようにさらに構成される、請求項１に記載のシステム。
【請求項３】
前記少なくとも１人の割り当てられた介護者は、看護師も助手も含む、請求項１に記載のシステム。
【請求項４】
前記表示装置は、
最後の患者の評価、及び、最後に測定された患者のバイタルサインに対する値が重大ではないものであったという指標、前記最後の評価及びバイタルサイン測定に対する完了の時間、並びに、次の患者の評価及びバイタルサイン測定に対する予定された時間、
を表示するようにさらに構成される、請求項１に記載のシステム。
【請求項５】
前記表示装置は、人物、場所及び時間の意識レベル（ＬＯＣ）の評価を含む患者の評価を表示するようにさらに構成される、請求項１に記載のシステム。
【請求項６】
割り当ての可視化に基づき、少なくとも１人の割り当てられた介護者に電子的な呼び出しを通信し、且つ、前記電子的な呼び出しの時間からの経過時間を追跡するように構成された通信ユニットをさらに含み、さらに、
前記表示装置は、前記可視化において、前記電子的な呼び出し及び前記経過時間の表示を含むように構成される、請求項１に記載のシステム。
【請求項７】
前記表示装置上に表示された前記介護者の氏名から少なくとも１人の介護者の氏名に関連するアイコンを入力装置が選択することに基づき、前記少なくとも１人の介護者をポケットベルで呼び出すように構成された通信ユニット、
をさらに含む、請求項１に記載のシステム。
【請求項８】
前記表示装置は、
早期警告スコア（ＥＷＳ）、
中央監視システムから受信された警報の可視指標、又は、
モニター装置の不調の可視指標、
のうち少なくとも１つを表示するようにさらに構成される、請求項１に記載のシステム。
【請求項９】
前記表示装置は、患者のバイタルサインの少なくとも１つの波形の表示へのリンクを表示するようにさらに構成される、請求項１に記載のシステム。
【請求項１０】
前記表示装置は、経過時間のアイコン、残存時間のアイコン及び予定された時間のアイコンと共に時間を表示するようにさらに構成され、さらに、
前記経過時間のアイコン、残存時間のアイコン及び予定された時間のアイコンは互いに異なる、請求項１に記載のシステム。
【請求項１１】
前記ワークフローユニットは、選択される割り当てられた介護者に対する未決着の作業及び残存時間のリストを生成するようにさらに構成される、請求項１に記載のシステム。
【請求項１２】
介護者のワークフローの方法であって、
少なくとも１人の介護者を、複数の患者のそれぞれに割り当てるステップと、
前記少なくとも１人の介護者の位置を追跡するステップと、
一貫したフォーマットの各患者に対するグループ化された介護者中心で重症度適応の臨床データ、各割り当てられた介護者に対する前記患者の氏名及び位置、介護者の氏名並びに前記介護者の位置を表示するステップであり、前記表示が、
最後の患者の評価における結果の指標、最後に測定された患者のバイタルサインに対する値、前記最後の評価及びバイタルサイン測定に対する完了の時間、並びに、次の患者の評価及びバイタルサイン測定に対する予定された時間を表示すること、
期限を過ぎた患者の評価の指標及びバイタルサインを表示すること、又は、
評価及びバイタルサイン測定の開始時間、少なくとも１つの評価における結果の指標、若しくは、前記バイタルサインのうち少なくとも１つの測定された値、各未決着の評価に対する指標若しくは測定されるバイタルサイン、並びに、前記評価及びバイタルサイン測定を完了するための期間における残存時間を表示すること、
のうち少なくとも１つを含む、ステップと、
を含み、前記臨床データを表示するステップが、前記複数の患者のそれぞれに対する、患者によるセクターにおいてグループ化された患者のバイタルサイン、患者の識別子、患者の位置、前記患者に割り当てられた前記少なくとも１人の介護者の同定、及び、各介護者の位置を表示することを含む、方法。
【請求項１３】
看護師である介護者を表示するステップ、及び、助手である介護者を表示するステップをさらに含む、請求項１２に記載の方法。
【請求項１４】
割り当ての可視化に基づき、少なくとも１人の割り当てられた介護者に電子的な呼び出しを通信するステップと、
前記電子的な呼び出し及び経過時間の表示を含むように前記可視化を修正するステップと、
をさらに含む、請求項１２に記載の方法。
【請求項１５】
少なくとも１人の患者に対する血糖測定を明らかにし且つ追跡するステップ、
時間、及び、砂時計のアイコン、ストップウォッチのアイコン又は時計文字盤のアイコンのうち少なくとも１つを表示するステップ、
選択された介護者を、前記表示上の前記選択された介護者の氏名をタッチすることによって電話で呼び出すか又はポケットベルで呼び出すステップ、
患者のバイタルサインの波形を表示するステップ、
早期警告スコア（ＥＷＳ）を表示するステップ、又は、
警報からの時間を表示するステップ、
のうち少なくとも１つをさらに含む、請求項１２に記載の方法。
【請求項１６】
前記表示装置は、
最後の患者の評価における結果の指標、最後に測定された患者のバイタルサインに対する値、前記最後の評価及びバイタルサイン測定に対する完了の時間、並びに、次の患者の評価及びバイタルサイン測定に対する予定された時間、
を表示するように構成される、請求項１に記載のシステム。
【請求項１７】
前記表示装置は、期限を過ぎた患者の評価の指標及びバイタルサインを表示するように構成される、請求項１に記載のシステム。
【請求項１８】
前記表示装置は、評価若しくはバイタルサイン測定の開始時間、前記評価における結果の指標、若しくは、前記バイタルサインのうち少なくとも１つの測定された値、各未決着の評価に対する指標若しくは測定されるバイタルサイン、並びに、前記評価及びバイタルサイン測定を完了するための期間における残存時間を表示するように構成される、請求項１に記載のシステム。
【請求項１９】
前記表示装置は、前記最後に測定された患者のバイタルサインに対する値に基づき早期警告スコア（ＥＷＳ）を表示するように構成される、請求項１に記載のシステム。
【請求項２０】
１つ又は複数のプロセッサであって、
複数の患者に対する患者の評価及び患者のバイタルサインを、看護師及び助手に割り当てられる各患者に対するスケジュールに従って明らかにし且つ追跡する、及び
各割り当てられた看護師及び助手の現在の位置を受信する、
ように構成された１つ又は複数のプロセッサと、
各患者に対してグループ化された介護者中心で重症度適応の臨床データ、患者の識別子の可視化、評価及びバイタルサイン、並びに、各割り当てられた看護師及び助手の氏名及び現在の位置を表示する表示装置であって、
最後の患者の評価における結果の指標、最後に測定された患者のバイタルサインに対する値、前記最後の評価及びバイタルサイン測定に対する完了の時間、並びに、次の患者の評価及びバイタルサイン測定に対する予定された時間、
期限を過ぎた患者の評価の指標及びバイタルサイン、又は、
評価若しくはバイタルサイン測定の開始時間、前記評価における結果の指標、若しくは、前記バイタルサインのうち少なくとも１つの測定された値、各未決着の評価に対する指標若しくは測定されるバイタルサイン、並びに、前記評価及びバイタルサイン測定を完了するための期間における残存時間、
のうち少なくとも１つを表示するようにさらに構成された表示装置と、
を含むワークフローシステム。